(57)【要約】【課題】消費電力を低減することが可能であり、且つ、表示を書き換える際の処理時間が短く応答性が良い表示装置を提供する。【解決手段】ステップＳ１０４では、第１クロックＰＣＫが演算処理部１０４へ供給される。また、第２クロックＭＣＫはクロック変換部１０５により変換され、変換クロックＣＣＫが発生され、クロック供給ブロック１０７へ供給される。ステップＳ１０５で演算処理部１０４が、第１クロックＰＣＫに同期して制御プログラムを実行する。各周辺機器の中の電気泳動表示部４は、ステップＳ１０８で、上記変換されたクロックに同期して、駆動電圧発生部１８１から駆動電圧を供給され、ページ書換処理が実行される。ステップＳ１０９では、演算処理部１０４への第１クロックＰＣＫの供給が停止され、制御プログラムの実行が停止される。この間、上記変換されたクロックは各周辺機器に供給され、電気泳動表示部４への駆動電圧の供給が続行される。【選択図】図７
2010186008.tif 000002
【特許請求の範囲】
【請求項１】
表示情報に従って駆動電圧が供給された時に表示を書き換え、駆動電圧の供給が停止された時に表示を維持する不揮発性表示部を有する表示装置であって、
前記表示装置の各種動作を指示するために操作可能な操作部と、
前記表示装置を制御する制御プログラムを記憶する不揮発性のプログラム記憶部と、
前記プログラム記憶部に記憶された制御プログラムを実行し、または、その実行を停止する制御を行なうプログラム制御部と、
前記駆動電圧を発生する駆動電圧発生部と、
前記不揮発性表示部に前記駆動電圧を供給する、または、その供給を停止する第１制御を実行する電圧制御部と、
前記不揮発性表示部の表示を書き換えるために前記操作部が操作されたとき、前記電圧制御部が前記第１制御により前記不揮発性表示部へ前記駆動電圧を供給し、且つ、前記プログラム制御部が制御プログラムの実行を停止する第２モードから、前記電圧制御部が前記第１制御により前記不揮発性表示部へ前記駆動電圧を供給し、且つ、前記プログラム制御部が制御プログラムを実行する第１モードへ切り替え、前記第１モードにおいて前記表示情報に従って表示が書き換えられたとき、前記第１モードから前記第２モードへ切り替えるモード切替部と、
を備えることを特徴とする表示装置。
【請求項２】
前記プログラム記憶部に記憶された制御プログラムを一時記憶する揮発性の一時記憶部と、
前記プログラム制御部が前記一時記憶部に一時記憶された制御プログラムを実行するための第１クロックと、前記電圧制御部が前記第１制御により前記駆動電圧の供給を行なうための第２クロックとを発生するクロック発生部と、
少なくとも前記一時記憶部へ電力を供給し、または、その供給を停止する第２制御を実行する電力制御部と、
を備え、
前記プログラム制御部は、前記第１クロックに基づいて前記制御プログラムを実行し、
前記電圧制御部は、前記第２クロックに基づいて前記駆動電圧の供給を行なう指令を前記不揮発性表示部へ供給し、
前記モード切替部が前記第２モードから前記前記第１モードへ切り替えたとき、前記電力制御部は、少なくとも前記一時記憶部へ電力を供給し、且つ、前記クロック発生部は前記第１クロックと前記第２クロックとを発生し、前記前記モード切替部が前記第１モードから前記第２モードへ切り替えたとき、前記電力制御部は、少なくとも前記一時記憶部へ電力を供給し、且つ、前記クロック発生部は、前記第１クロックを停止して前記第２クロックを発生することを特徴とする請求項１に記載の表示装置。
【請求項３】
前記クロック発生部は、前記第２クロックより高周波数の前記第１クロックを発生することを特徴とする請求項２に記載の表示装置。
【請求項４】
前記不揮発性表示部に所定の表示をさせる前記表示情報を記憶する不揮発性の情報記憶部から前記表示情報を取得する情報取得部と、
前記プログラム記憶部に記憶された制御プログラムと、前記情報取得部により取得された表示情報とを一時記憶する揮発性の一時記憶部と、
前記操作部が操作されたとき、前記一時記憶部に記憶された表示情報に従って前記不揮発性表示部に所定の表示をさせる表示制御部と、
前記不揮発性表示部に現在表示されている画像に関する表示情報が前記情報記憶部に記憶される記憶位置を記憶する不揮発性の位置記憶部と、
を備え、
前記電力制御部は、少なくとも前記一時記憶部へ電力を供給し、または、その供給を停止する第２制御と、前記不揮発性表示部と前記情報取得部と前記プログラム記憶部と前記一時記憶部と前記表示制御部と前記位置記憶部とへ電力を供給し、または、電力の供給を停止する第３制御とを実行し、
前記モード切替部は、前記電圧制御部が前記第１制御により前記不揮発性表示部へ前記駆動電圧を供給すると共に、前記第２制御により電力を供給し、且つ、前記プログラム制御部が制御プログラムを実行する前記第１モードと、前記電圧制御部が前記第１制御により前記不揮発性表示部への前記駆動電圧を供給すると共に、前記第２制御により電力を供給し、且つ、前記プログラム制御部が制御プログラムの実行を停止する前記第２モードと、前記電力制御部が前記第１制御により前記不揮発性表示部への前記駆動電圧の供給を停止すると共に、前記第３制御により電力の供給を停止し、且つ、前記プログラム制御部が制御プログラムの実行を停止する第３モードとの間で切り替え可能であり、
前記表示制御部は、前記モード切替部により前記第３モードから前記第１モードへ切り替えられたとき、前記情報取得部により前記記憶位置から取得されて前記一時記憶部に記憶された前記表示情報に従って、前記不揮発性表示部に所定の表示をさせ、前記モード切替部により前記第２モードから前記第１モードへ切り替えられたとき、前記一時記憶部に記憶された前記表示情報に従って前記不揮発性表示部に所定の表示をさせることを特徴とする請求項１から請求項３のいずれかに記載の表示装置。
【請求項５】
前記モード切替部は、前記第２モードへ切り替えてから所定の第１時間が経過した後に前記第３モードへ切り替えることを特徴とする請求項４に記載の表示装置。
【請求項６】
表示情報に従って駆動電圧が供給された時に表示を書き換え、駆動電圧の供給が停止された時に表示を維持する不揮発性表示部を有する表示装置の各種動作を指示するための操作ステップと、
前記駆動電圧を発生する駆動電圧発生部に前記駆動電圧を前記不揮発性表示部へ供給させる、または、その供給を停止させる第１制御を実行する電圧制御ステップと、
前記不揮発性表示部の表示を書き換えるために操作ステップにより指示が行われたとき、前記電圧制御ステップにより不揮発性表示部へ前記駆動電圧が供給された状態で前記表示装置を制御するために不揮発性のプログラム記憶部に記憶された制御プログラムの実行を停止する第２モードから、前記電圧制御ステップにより不揮発性表示部へ前記駆動電圧が供給された状態で前記制御プログラムを実行する第１モードへ切り替え、前記第１モードにおいて前記表示情報に従って表示が書き換えられたとき、前記第１モードから前記第２モードへ切り替えるモード切替ステップと、
前記モード切替ステップにより切り替えられたモードに従って、前記制御プログラムを実行し、または、その実行を停止するプログラム制御ステップと、
を備えることを特徴とする表示方法。
【請求項７】
表示情報に従って駆動電圧が供給された時に表示を書き換え、駆動電圧の供給が停止された時に表示を維持する不揮発性表示部を有する表示装置の各種動作を指示するために操作されたか否かを検出する操作検出ステップと、
前記駆動電圧を発生する駆動電圧発生部に前記駆動電圧を前記不揮発性表示部へ供給させる、または、その供給を停止させる第１制御を指令する電圧制御ステップと、
前記不揮発性表示部の表示を書き換えるための操作が前記操作検出ステップにより検出されたとき、前記電圧制御ステップにより不揮発性表示部への前記駆動電圧の供給が指令された状態で前記表示装置を制御するために不揮発性のプログラム記憶部に記憶された制御プログラムの実行を停止する第２モードから、前記電圧制御ステップにより不揮発性表示部への前記駆動電圧の供給が指令された状態で前記制御プログラムを実行する第１モードへ切り替え、前記第１モードにおいて前記表示情報に従って表示が書き換えられたとき、前記第１モードから前記第２モードへ切り替えるモード切替ステップと、
前記モード切替ステップにより切り替えられたモードに従って、前記制御プログラムを実行し、または、その実行を停止するプログラム制御ステップと、をコンピュータに実現させるための表示プログラム。
【発明の詳細な説明】
【技術分野】
【０００１】
本発明は、不揮発性表示部を備えた表示装置に関する。詳細には、表示装置に備えられた各種ハードウェアへの電力の供給及び停止を制御することで、表示装置の消費電力を低減する表示装置及び表示方法に関する。
【背景技術】
【０００２】
特許文献１には、電力供給が停止されていても表示内容を維持し続ける不揮発性表示部を備えた表示装置が記載されている。詳細には、主要制御部への電力供給及び電力供給の停止を制御する技術が開示されている。主要制御部は、ＣＰＵと各種記憶手段と不揮発性表示部等から構成される。表示装置に備えられたキーの操作が一定時間行われなかったことに基づいて、主要制御部への電力の供給が停止される。表示装置への電力の供給が停止される省電力モードに移行することで、電力の消費が低減されている。特許文献１に記載の表示装置において、不揮発性表示部の表示を書き換えるためにキーが操作されたときに、一般的に主要制御部へ電力が再度供給される。主要制御部に電力供給された後に、ＳＤカード等の記憶手段から表示情報が新たに読み出され、ＲＡＭに展開される。ＲＡＭに展開された表示情報に従って、画像が不揮発性表示部に表示される。
【先行技術文献】
【特許文献】
【０００３】
【特許文献１】特開２００７−１２１３７４号公報
【発明の概要】
【発明が解決しようとする課題】
【０００４】
特許文献１に記載の表示装置では、不揮発性表示部が用いられている。不揮発性表示部は、表示を維持するために電力の供給が不要であるが、画像を書き換えるために駆動電圧を供給する必要がある。不揮発性表示部に表示された画像を書き換えるためには、表示情報に従って駆動電圧の供給及び停止やその電圧値が制御される。駆動電圧の供給動作などが制御されることで、表示媒体により種々の表示が可能となる。特許文献１に記載の表示装置は、省電力モードを有している。省電力モード時は、駆動電圧が不揮発性表示部に供給されない。省電力モードから不揮発性表示部を起動して不揮発性表示部の表示を新たに書き換えるためには、駆動電圧を不揮発性表示部に供給する必要がある。しかしながら、不揮発性表示部が駆動電圧の供給を受けて正常に書き換え動作を行うまでの立ち上がりが比較的遅い。そのため、表示装置の応答性が悪かった。
【０００５】
本発明は、上述した問題点を解決するためになされたものである。本発明の目的は、消費電力を低減することが可能であり、且つ、表示を書き換える際の時間が短く応答性が良い表示装置を提供することである。
【課題を解決するための手段】
【０００６】
請求項１に記載の発明によれば、表示情報に従って駆動電圧が供給された時に表示を書き換え、駆動電圧の供給が停止された時に表示を維持する不揮発性表示部を有する表示装置であって、前記表示装置の各種動作を指示するために操作可能な操作部と、前記表示装置を制御する制御プログラムを記憶する不揮発性のプログラム記憶部と、前記プログラム記憶部に記憶された制御プログラムを実行し、または、その実行を停止する制御を行なうプログラム制御部と、前記駆動電圧を発生する駆動電圧発生部と、前記不揮発性表示部に前記駆動電圧を供給する、または、その供給を停止する第１制御を実行する電圧制御部と、前記不揮発性表示部の表示を書き換えるために前記操作部が操作されたとき、前記電圧制御部が前記第１制御により前記不揮発性表示部へ前記駆動電圧を供給し、且つ、前記プログラム制御部が制御プログラムの実行を停止する第２モードから、前記電圧制御部が前記第１制御により前記不揮発性表示部へ前記駆動電圧を供給し、且つ、前記プログラム制御部が制御プログラムを実行する第１モードへ切り替え、前記第１モードにおいて前記表示情報に従って表示が書き換えられたとき、前記第１モードから前記第２モードへ切り替えるモード切替部と、を備えることを特徴とする表示装置である。
【０００７】
請求項２に記載の発明によれば、前記プログラム記憶部に記憶された制御プログラムを一時記憶する揮発性の一時記憶部と、前記プログラム制御部が前記一時記憶部に一時記憶された制御プログラムを実行するための第１クロックと、前記電圧制御部が前記第１制御により前記駆動電圧の供給を行なうための第２クロックとを発生するクロック発生部と、少なくとも前記一時記憶部へ電力を供給し、または、その供給を停止する第２制御を実行する電力制御部と、を備え、前記プログラム制御部は、前記第１クロックに基づいて前記制御プログラムを実行し、前記電圧制御部は、前記第２クロックに基づいて前記駆動電圧の供給を行なう指令を前記不揮発性表示部へ供給し、前記モード切替部が前記第２モードから前記前記第１モードへ切り替えたとき、前記電力制御部は、少なくとも前記一時記憶部へ電力を供給し、且つ、前記クロック発生部は前記第１クロックと前記第２クロックとを発生し、前記前記モード切替部が前記第１モードから前記第２モードへ切り替えたとき、前記電力制御部は、少なくとも前記一時記憶部へ電力を供給し、且つ、前記クロック発生部は、前記第１クロックを停止して前記第２クロックを発生することを特徴とする。
【０００８】
請求項３に記載の発明によれば、前記クロック発生部は、前記第２クロックより高周波数の前記第１クロックを発生することを特徴とする。
【０００９】
請求項４に記載の発明によれば、前記不揮発性表示部に所定の表示をさせる前記表示情報を記憶する不揮発性の情報記憶部から前記表示情報を取得する情報取得部と、前記プログラム記憶部に記憶された制御プログラムと、前記情報取得部により取得された表示情報とを一時記憶する揮発性の一時記憶部と、前記操作部が操作されたとき、前記一時記憶部に記憶された表示情報に従って前記不揮発性表示部に所定の表示をさせる表示制御部と、前記不揮発性表示部に現在表示されている画像に関する表示情報が前記情報記憶部に記憶される記憶位置を記憶する不揮発性の位置記憶部と、を備え、前記電力制御部は、少なくとも前記一時記憶部へ電力を供給し、または、その供給を停止する第２制御と、前記不揮発性表示部と前記情報取得部と前記プログラム記憶部と前記一時記憶部と前記表示制御部と前記位置記憶部とへ電力を供給し、または、電力の供給を停止する第３制御とを実行し、前記モード切替部は、前記電圧制御部が前記第１制御により前記不揮発性表示部へ前記駆動電圧を供給すると共に、前記第２制御により電力を供給し、且つ、前記プログラム制御部が制御プログラムを実行する前記第１モードと、前記電圧制御部が前記第１制御により前記不揮発性表示部への前記駆動電圧を供給すると共に、前記第２制御により電力を供給し、且つ、前記プログラム制御部が制御プログラムの実行を停止する前記第２モードと、前記電力制御部が前記第１制御により前記不揮発性表示部への前記駆動電圧の供給を停止すると共に、前記第３制御により電力の供給を停止し、且つ、前記プログラム制御部が制御プログラムの実行を停止する第３モードとの間で切り替え可能であり、前記表示制御部は、前記モード切替部により前記第３モードから前記第１モードへ切り替えられたとき、前記情報取得部により前記記憶位置から取得されて前記一時記憶部に記憶された前記表示情報に従って、前記不揮発性表示部に所定の表示をさせ、前記モード切替部により前記第２モードから前記第１モードへ切り替えられたとき、前記一時記憶部に記憶された前記表示情報に従って前記不揮発性表示部に所定の表示をさせることを特徴とする。
【００１０】
請求項５に記載の発明によれば、前記モード切替部は、前記第２モードへ切り替えてから所定の第１時間が経過した後に前記第３モードへ切り替えることを特徴とする。
【００１１】
請求項６に記載の発明によれば、表示情報に従って駆動電圧が供給された時に表示を書き換え、駆動電圧の供給が停止された時に表示を維持する不揮発性表示部を有する表示装置の各種動作を指示するための操作ステップと、前記駆動電圧を発生する駆動電圧発生部に前記駆動電圧を前記不揮発性表示部へ供給させる、または、その供給を停止させる第１制御を実行する電圧制御ステップと、前記不揮発性表示部の表示を書き換えるために操作ステップにより指示が行われたとき、前記電圧制御ステップにより不揮発性表示部へ前記駆動電圧が供給された状態で前記表示装置を制御するために不揮発性のプログラム記憶部に記憶された制御プログラムの実行を停止する第２モードから、前記電圧制御ステップにより不揮発性表示部へ前記駆動電圧が供給された状態で前記制御プログラムを実行する第１モードへ切り替え、前記第１モードにおいて前記表示情報に従って表示が書き換えられたとき、前記第１モードから前記第２モードへ切り替えるモード切替ステップと、前記モード切替ステップにより切り替えられたモードに従って、前記制御プログラムを実行し、または、その実行を停止するプログラム制御ステップと、を備えることを特徴とする表示方法である。
【００１２】
請求項７に記載の発明によれば、表示情報に従って駆動電圧が供給された時に表示を書き換え、駆動電圧の供給が停止された時に表示を維持する不揮発性表示部を有する表示装置の各種動作を指示するために操作されたか否かを検出する操作検出ステップと、前記駆動電圧を発生する駆動電圧発生部に前記駆動電圧を前記不揮発性表示部へ供給させる、または、その供給を停止させる第１制御を指令する電圧制御ステップと、前記不揮発性表示部の表示を書き換えるための操作が前記操作検出ステップにより検出されたとき、前記電圧制御ステップにより不揮発性表示部への前記駆動電圧の供給が指令された状態で前記表示装置を制御するために不揮発性のプログラム記憶部に記憶された制御プログラムの実行を停止する第２モードから、前記電圧制御ステップにより不揮発性表示部への前記駆動電圧の供給が指令された状態で前記制御プログラムを実行する第１モードへ切り替え、前記第１モードにおいて前記表示情報に従って表示が書き換えられたとき、前記第１モードから前記第２モードへ切り替えるモード切替ステップと、前記モード切替ステップにより切り替えられたモードに従って、前記制御プログラムを実行し、または、その実行を停止するプログラム制御ステップと、をコンピュータに実現させるための表示プログラムである。
【発明の効果】
【００１３】
一般に、表示装置の主要な制御部に電力が供給されている場合、表示の書き換えなどを含む表示装置の応答性は良い。これに対し、主要な制御部への電力の供給が停止されると応答性は悪くなるが、消費電力の低減には効果的である。表示装置の応答性と消費電力の低減という相反することを同時に満足するために、請求項１記載の発明によれば、電圧制御部は、不揮発性表示部に駆動電圧を供給する、または、その供給を停止させる第１制御を実行する。モード切替部は、不揮発性表示部の表示を書き換えるために操作部が操作されたとき、電圧制御部が第１制御により不揮発性表示部へ駆動電圧を供給し、且つ、プログラム制御部が制御プログラムの実行を停止する第２モードから、電圧制御部が第１制御により不揮発性表示部へ駆動電圧を供給し、且つ、プログラム制御部が制御プログラムを実行する第１モードへ切り替え、第１モードにおいて表示情報に従って表示が書き換えられたとき、第１モードから第２モードへ切り替える。従って、画像を書き換えるための駆動電圧は、第１モードと第２モードとの両モードにおいて不揮発性表示部に供給される。そのため、表示装置の立ち上がり時間が短くなる。また第２モードでは、制御プログラムの実行は停止される。制御プログラムの実行を停止することで、ＣＰＵなどの演算処理手段が消費する電力は大幅に低減される。不揮発性表示部を用いる表示装置では、表示装置の主要な制御部への電力の供給が停止される。上述した表示装置では、ＣＰＵなどの演算処理手段で消費される電力の割合が大きいため、特に効果的である。そのため、制御プログラムは実行されないため、消費電力が低減される。この結果、第２モードでは、表示装置の消費電力が低減されるとともに、表示を書き換えるための起動時間が短くなり、表示を書き換える応答性が良くなる。
【００１４】
請求項２に記載の発明によれば、クロック発生部は、プログラム制御部が一時記憶部に一時記憶された制御プログラムを実行するための第１クロックと、電圧制御部が第１制御により駆動電圧の供給を行なうための第２クロックとを発生する。プログラム制御部は、第１クロックに基づいて制御プログラムを実行する。電圧制御部は、第２クロックに基づいて駆動電圧の供給を行なう指令を前記不揮発性表示部へ供給する。従って、駆動電圧の供給及び停止と制御プログラムの実行及び停止とが、第１及び第２クロックの発生及び停止により制御されることから、これらの制御を行うためにクロック発生部以外に特別なハードウェアが必要ない。この結果、特別なハードウェアを起動するための電力が必要なく、消費電力が低減されるとともに、表示を書き換える応答性が良くなる。
【００１５】
請求項３に記載の発明によれば、クロック発生部は、第２クロックより高周波数の第１クロックを発生する。制御プログラムは主要制御部の起動の確認等の確認処理を行う。表示装置の立ち上がり速度を速くするためは、制御プログラムを実行する第１クロックは高周波数の方が良い。第１クロックは、駆動電圧を供給するための第２クロックより高周波数のクロックである必要がある。一方、制御プログラムを実行するための第１クロックが高周波数である程、その制御プログラムにより駆動制御される機器の消費電力は大きくなる。そこで、請求項３に記載の発明では、第１クロックが第２クロックより高周波数に設定されることで、制御プログラムの実行時には、その実行速度が速くなると共に、制御プログラムの停止時には、制御プログラムにより駆動制御される機器の電力消費がなくなる。この結果、表示装置全体の消費電力が低減されると共に、表示を書き換える応答性が良くなる。
【００１６】
請求項４に記載の発明によれば、表示装置は、不揮発性表示部に現在表示されている表示情報が情報記憶部に記憶される記憶位置を記憶する不揮発性の位置記憶部を備える。モード切替部は、前記電圧制御部が前記第１制御により前記不揮発性表示部へ前記駆動電圧を供給すると共に、前記第２制御により電力を供給し、且つ、前記プログラム制御部が制御プログラムを実行する前記第１モードと、前記電圧制御部が前記第１制御により前記不揮発性表示部への前記駆動電圧を供給すると共に、前記第２制御により電力を供給し、且つ、前記プログラム制御部が制御プログラムの実行を停止する前記第２モードと、前記電力制御部が前記第１制御により前記不揮発性表示部への前記駆動電圧の供給を停止すると共に、前記第３制御により電力の供給を停止し、且つ、前記プログラム制御部が制御プログラムの実行を停止する第３モードとの間で切り替え可能である。表示制御部は、モード切替部により第３モードから第１モードへ切り替えられたとき、情報取得部により記憶位置から取得されて一時記憶部に記憶された表示情報に従って、不揮発性表示部に所定の表示をさせ、モード切替部により第２モードから第１モードへ切り替えられたとき、一時記憶部に記憶された表示情報に従って不揮発性表示部に所定の表示をさせる。第３モードは、不揮発性表示部や各記憶手段といった表示装置の主要な制御部へ電力の供給が停止されたモードである。従って、第３モードの場合でも、不揮発性表示部は表示を維持することができる。また、表示装置が第３モードから第１モードへ切り替えられた場合であっても、不揮発性の位置記憶部に記憶される記憶位置に基づいて表示情報が情報記憶部から読み出される。そのため、第３モードのときに、不揮発性表示部に表示されていた画像の続きから、第１モードにおいて表示が開始される。この結果、第３モードは、応答性は悪いが消費電力低減に最も優れたモードとなる。第１モードは応答性に最も優れたモードとなる。第２モードは、消費電力低減と応答性とがある程度満たされるモードとなる。第１モードと第２モードと第３モードとの間でモードが切り替えられることで、表示装置の応答性と消費電力の低減とが同時に満たされる。そのため、表示を書き換える応答性が良くなる。また、第３モードのときであっても、不揮発性表示部に表示されていた画像の続きから表示が開始されるため、操作性が向上する。
【００１７】
請求項５に記載の発明によれば、モード切替部は、第２モードへ切り替えられてから所定の第１時間が経過した後に第３モードへ切り替える。この結果、表示装置のモードは、消費電力の最も小さい第３モードに自動で切り替えられるため、消費電力の低減が促進される。
【００１８】
一般に、表示装置の主要な制御部に電力が供給されている場合、表示の書き換えなどを含む表示装置の応答性は良い。これに対し、主要な制御部への電力の供給が停止されると応答性は悪くなるが、消費電力の低減には効果的である。表示装置の応答性と消費電力の低減という相反することを同時に満足するために、請求項６記載の発明によれば、電圧制御ステップは、駆動電圧を発生する駆動電圧発生部に駆動電圧を不揮発性表示部へ供給させる、または、その供給を停止させる第１制御を実行する。モード切替ステップは、不揮発性表示部の表示を書き換えるために操作ステップにより指示が行われたとき、電圧制御ステップにより不揮発性表示部へ駆動電圧が供給された状態で表示装置を制御するために不揮発性のプログラム記憶部に記憶された制御プログラムの実行を停止する第２モードから、電圧制御ステップにより不揮発性表示部へ駆動電圧が供給された状態で制御プログラムを実行する第１モードへ切り替え、第１モードにおいて表示情報に従って表示が書き換えられたとき、第１モードから前記第２モードへ切り替える。従って、画像を書き換えるための駆動電圧は、第１モードと第２モードとの両モードにおいて不揮発性表示部に供給される。そのため、表示装置の立ち上がり時間が短くなる。また第２モードでは、制御プログラムの実行は停止される。制御プログラムの実行を停止することで、ＣＰＵなどの演算処理手段が消費する電力は大幅に低減される。不揮発性表示部を用いる表示装置では、表示装置の主要な制御部への電力の供給が停止される。上述した表示装置では、ＣＰＵなどの演算処理手段で消費される電力の割合が大きいため、特に効果的である。そのため、制御プログラムは実行されないため、消費電力が低減される。この結果、第２モードでは、表示装置の消費電力が低減されるとともに、表示を書き換えるための起動時間が短くなり、表示を書き換える応答性が良くなる。
【００１９】
一般に、表示装置の主要な制御部に電力が供給されている場合、表示の書き換えなどを含む表示装置の応答性は良い。これに対し、主要な制御部への電力の供給が停止されると応答性は悪くなるが、消費電力の低減には効果的である。表示装置の応答性と消費電力の低減という相反することを同時に満足するために、請求項７記載の発明によれば、電圧制御ステップは、駆動電圧を発生する駆動電圧発生部に駆動電圧を不揮発性表示部へ供給させる、または、その供給を停止させる第１制御を指令する。モード切替ステップは、不揮発性表示部の表示を書き換えるための操作が操作検出ステップにより検出されたとき、電圧制御ステップにより不揮発性表示部への駆動電圧の供給が指令された状態で表示装置を制御するために不揮発性のプログラム記憶部に記憶された制御プログラムの実行を停止する第２モードから、電圧制御ステップにより不揮発性表示部への駆動電圧の供給が指令された状態で制御プログラムを実行する第１モードへ切り替え、第１モードにおいて表示情報に従って表示が書き換えられたとき、第１モードから第２モードへ切り替える。従って、画像を書き換えるための駆動電圧は、第１モードと第２モードとの両モードにおいて不揮発性表示部に供給される。そのため、表示装置の立ち上がり時間が短くなる。また第２モードでは、制御プログラムの実行は停止される。制御プログラムの実行を停止することで、ＣＰＵなどの演算処理手段が消費する電力は大幅に低減される。不揮発性表示部を用いる表示装置では、表示装置の主要な制御部への電力の供給が停止される。上述した表示装置では、ＣＰＵなどの演算処理手段で消費される電力の割合が大きいため、特に効果的である。そのため、制御プログラムは実行されないため、消費電力が低減される。この結果、第２モードでは、表示装置の消費電力が低減されるとともに、表示を書き換えるための起動時間が短くなり、表示を書き換える応答性が良くなる。
【図面の簡単な説明】
【００２０】
【図１】実施形態における画像表示装置１の外観図である。
【図２】実施形態における電気泳動表示部４の正面図である。
【図３】図２に示す電気泳動表示部４のＡ−Ａ’線に従う矢視方向断面図である。
【図４】上記画像表示装置１の電気的構成を示すブロック図である。
【図５】実施形態におけるＣＰＵ１０の機能的構成を示す機能概念図である。
【図６】実施形態における電力制御部１９の電気的構成を示すブロック図である。
【図７】実施形態におけるメイン動作を示すフローチャートである。
【図８】実施形態におけるページ書換処理を示すフローチャートである。
【図９】実施形態における表示情報記憶領域１２１に表示情報が記憶される記憶状態を示す概念図である。
【図１０】実施形態における表示ファイル情報と表示中ページ情報とがＥＥＰＲＯＭ１４に記憶される記憶状態の一例を示す概念図である。
【発明を実施するための形態】
【００２１】
［実施形態］
以下、電気泳動表示部を備えた携帯型の表示装置に本発明を適用した実施形態について図面を参照して説明する。
【００２２】
＜実施形態の外観的構成＞
図１は、本発明を適用した実施形態の携帯型の画像表示装置１の外観図である。実施形態の画像表示装置１は、略直方体である。本実施形態の画像表示装置１は、電源スイッチ２と、電気泳動表示部４と、２つの操作キー５と操作キー６とを備えている。電源スイッチ２により画像表示装置１の電源がオン、または、オフされる。操作キー５と操作キー６とが操作されることにより、電気泳動表示部４で表示される画像が書き換えられる。操作キー５の操作により、電気泳動表示部４に現在表示されている画像の１ページ前の画像を表示する。操作キー６の操作により、電気泳動表示部４に現在表示されている画像の１ページ後の画像を表示する。実施形態の操作キー５、６は、本発明の操作部の一例である。実施形態の電気泳動表示部４は、本発明の不揮発性表示部の一例である。
【００２３】
図２は、電気泳動表示部４の正面図である。図３は、図２に示す電気泳動表示部４のＡ−Ａ´線に従う矢視方向断面図である。以下、電気泳動表示部４について図２と図３とを参照して説明する。なお、説明の便宜上、図２と図３とは、電気泳動表示部４により白黒画像が表示され、電気泳動表示部４の画素数が５×４の２０個である例を示している。本実施形態では、１画素に対して１画素空間が対応している。実際には、必要に応じた画素数が設けられる。
【００２４】
図２に示されるように電気泳動表示部４の表示面には、画像を表示するための画素空間２１が備えられている。実施形態では、画素空間２１に対して電界を発生させるために、画素空間２１と同じ位置には電極が配置されている。画素空間２１が配置されている周辺部は、上部電極保護膜６１により覆われている。上部電極保護膜６１は、ポリイミド，ポリエチレンテレフタレート，ガラス、酸化チタン、酸化ケイ素、ポリスチレンなどの高い透明性を発揮可能な材料により形成される。画素空間２１が備えられていない電気泳動表示部４の周縁部は、ユーザが視認できないように隠蔽するためのマスク部４０により囲まれている。
【００２５】
実施形態の画像表示装置１では、図３に示す矢印の方向をそれぞれ上方向、下方向とする。図３に示すように、電気泳動表示部４は、マスク部４０と下部基板５０と上部基板６０と表示部７０と隔壁７１とを備えている。下部基板５０は、電気泳動表示部４の下面部分に備えられている。上部基板６０は、表示部７０を挟んで下部基板５０に対して上方向に対向配置されている。画像表示装置１のユーザは、図３の上方向から、表示層６３を介して表示される画像を閲覧する。
【００２６】
隔壁７１は、下部基板５０と上部基板６０との間に配置され、両基板により支持されている。隔壁７１は、下部基板５０上を格子状に均等に分割して多数の画素空間２１を形成するように配置される。
【００２７】
表示部７０は、各画素空間２１に帯電粒子３３ａと帯電粒子３３ｂと分散媒３４とが充填されて構成される。具体的には、多数の画素空間２１が下部基板５０上で隔壁７１により格子状に分割される。帯電粒子３３ａと帯電粒子３３ｂと分散媒３４とが、各画素空間２１の中に充填される。帯電粒子３３ａ及び帯電粒子３３ｂの材料としては、分散媒３４中において帯電可能な材料が用いられる。帯電粒子３３ａ及び帯電粒子３３ｂの材料として、有機化合物や無機化合物からなる顔料及び染料、もしくは顔料及び染料を合成樹脂で包んだものが用いられる。本実施形態では、帯電粒子３３ａとして、スチレン樹脂と二酸化チタンとの混合物が材料として用いられる。帯電粒子３３ａとして、平均粒子径が５μｍのものであって、粒子中の二酸化チタンの量が４０ｗｔ％のものが使用される。帯電粒子３３ｂとして、スチレン樹脂とカーボンブラックとの混合物が用いられる。帯電粒子３３ｂとして、平均粒子径が５μｍのものであって、粒子中のカーボンブラックの量が３０ｗｔ％のものが使用される。そのため、帯電粒子３３ａは白色の色調であり、帯電粒子３３ｂは黒色の色調である。また、帯電粒子３３ａと帯電粒子３３ｂとは、それぞれが正あるいは負に相異となるように帯電している。実施形態では、帯電粒子３３ａが負に、帯電粒子３３ｂが正に帯電している。
【００２８】
分散媒３４として、高絶縁性で、且つ、粘性の低いアルコール類または、炭化水素、またはシリコーンオイルが用いられる。実施形態では、分散媒３４として、パラフィン系溶剤であるエクソンモービル社製Ｉｓｏｐａｒが用いられる。なお、分散媒３４には、添加剤としてエタノールが加えられている。各画素空間２１を占める帯電粒子３３ａ及び帯電粒子３３ｂ及び溶媒は以下の通りである。白色帯電粒子３３ａは、７ｗｔ％である。黒色帯電粒子３３ｂは１０ｗｔ％である。溶媒１はＩｓｏｐａｒ：７３ｗｔ％である。溶媒２はエタノール：１０ｗｔ％である。
【００２９】
下部基板５０は、下部電極保護膜５１と下部電極５２と筐体支持部５３とを備える。
【００３０】
下部電極保護膜５１は、下部電極５２の上面側に絶縁材料を塗布して形成された絶縁膜である。下部電極保護膜５１は、ポリエチレンテレフタレート、ポリスチレン等の樹脂フィルムや酸化ケイ素、酸化チタンなどの無機材料等、高い絶縁性効果のある材料により形成される。本実施形態では、下部電極保護膜５１として、酸化ケイ素が用いられる。
【００３１】
下部電極５２は、画素空間２１に対して電圧を印加するために備えられている。下部電極５２は、画素空間２１それぞれに対して一定の電圧が印加されるために、上部電極６２と平行に配置されている。
【００３２】
筐体支持部材５３は、下部電極５２の下面側に備えられる。筐体支持部５３は、画像表示装置１そのものを支持する。
【００３３】
上部基板６０は、上部電極保護膜６１と、上部電極６２と、表示層６３とを備える。また、上部基板６０の上面（下部基板５０と対向しない面）には、マスク部４０が備えられている。
【００３４】
上部電極保護膜６１は、上部電極６２の下面側に絶縁材料を塗布することにより形成された絶縁膜である。上部電極保護膜６１は、ポリイミド、ポリエチレンテレフタレート、ガラス、酸化チタン、酸化ケイ素、ポリスチレンなどの透明性の高い材料により形成される。本実施形態では、上部電極保護膜６１の材料としては、酸化ケイ素が用いられる。
【００３５】
上部電極６２は、下部電極５２との間に電界を発生させるための電極である。画素空間２１それぞれに対して所定の電圧が印加されるために、上部電極６２が備えられた共通の電気導電体として配置されている。上部電極６２は、透明性の高い材料により形成される。本実施形態では、上部電極６２として、酸化インジウムすず（ＩＴＯ）により形成された透明電極が用いられる。
【００３６】
表示層６３はガラス、ポリエチレンテレフタレート、ポリカーボネート、トリアセチルセルロースなど透明な部材により形成される。表示層６３は上部電極６２の上面側に備えられている。表示層６３は表示画面として機能する。表示層６３としては可撓性を有するガラス基板が用いられる。上部基板６０が、上述した透明性の高い材料により形成されることで、ユーザが上部基板６０の上方向から表示部７０を視認することができる。
【００３７】
マスク部４０は、画素空間２１が存在しない表示部７０の周縁部をユーザが視認できないよう隠蔽するために備えられている。マスク部４０は、上部基板６０の４つの辺に沿って、一定幅で備えられている。マスク部４０としては、ユーザが表示部７０を視認できるように、図３に示す四角の型の形状の板状部材が用いられる。マスク部４０として、ポリエチレンテレフタレートなどの合成樹脂を着色した部材が用いられる。また、インクなどにより、表示層６３の表面に直接マスク部４０と同等の効果のあるインク層が形成されても良い。本実施形態では、マスク部４０として、ポリエチレンテレフタレートが用いられる。
【００３８】
＜実施形態の電気的構成＞
図４は、実施形態の画像表示装置１の電気的構成を示すブロック図である。図４に示すように、画像表示装置１は、画像表示装置１を制御するＣＰＵ１０を備えている。ＣＰＵ１０は、振動子１０１と、メモリーカードインターフェース（Ｉ／Ｆ）１１と、ＮＡＮＤ型のフラッシュメモリー１３と、ＥＥＰＲＯＭ１４と、ＲＡＭ１５と、バッテリー１６と、無線通信部１７と、表示制御部１８と、電力制御部１９と、操作キー５、６とにそれぞれ電気的に接続されている。ＣＰＵ１０に接続された多数の周辺機器にクロックを供給するため、ＣＰＵ１０は複数の異なる所定の周波数のクロックを発生する。発生されたクロックは、ＣＰＵ１０に接続された多数の周辺機器にそれぞれ供給される。供給されるクロックの周波数は、各周辺機器の動作に適した周波数である。異なる周辺機器に同じ周波数のクロックが供給される場合もある。メモリーカードＩ／Ｆ１１は、メモリーカード１２と接続され、メモリーカード１２から情報を読み出す。ＣＰＵ１０は、メモリーカード１２、フラッシュメモリー１３、ＥＥＰＲＯＭ１４、ＲＡＭ１５などの記憶手段と共に、実施形態のコンピュータを構成している。本実施形態では、メモリーカード１２としてＳＤカード（登録商標）が使用される。また、本実施形態では、無線通信部１７としてＢｌｕｅｔｏｏｔｈ（登録商標）が使用される。
【００３９】
振動子１０１は、ＣＰＵ１０を介してバッテリー１６と接続される。バッテリー１６からＣＰＵ１０に電源が供給されているときは、振動子１０１にも電源は供給される。ＣＰＵ１０の指令に従って、振動子１０１は予め定められた基準クロックを発振する。振動子１０１により発振された基準クロックは、ＣＰＵ１０へ供給される。
【００４０】
図５は、実施形態のＣＰＵ１０が有する各種の機能をブロック化して示した機能概念図である。ＣＰＵ１０は、各種の機能として、第１クロック発生部１０２と、第２クロック発生部１０３と、演算処理部１０４と、クロック変換部１０５と、タイマー１０６と、クロック制御部１０８とを備える。
【００４１】
第１クロック発生部１０２は、振動子１０１により発振された基準クロックの周波数を逓倍、または、分周して所定の周波数の第１クロックＰＣＫを発生する。第１クロックＰＣＫは、ＲＡＭ１５に読み出されて一時記憶された制御プログラムを実行するためのクロックである。第１クロックＰＣＫは、クロック制御部１０８へ供給される。また、第１クロックＰＣＫは、第２クロック発生部１０３へ供給される。本実施形態では、第1クロックＰＣＫの周波数が２００ＭＨｚである。本実施形態の第１クロック発生部１０２は、本発明のクロック発生部の一例である。
【００４２】
第２クロック発生部１０３は、第１クロックＰＣＫの周波数を更に分周して第２クロックＭＣＫを発生する。第２クロック発生部１０３は、供給された第１クロックＰＣＫの周波数を分周する分周器から構成される。そのため、第２クロックＭＣＫは、第１クロックＰＣＫよりも低周波数となる。本実施形態では、公知の分周器を用いて１００ＭＨｚの第２クロックＭＣＫを発生する。本実施形態の第２クロック発生部は、本発明のクロック発生部の一例である。
【００４３】
クロック制御部１０８は、演算処理部１０４へ第１クロックＰＣＫの供給、またはその供給を停止する制御を行なう。
【００４４】
演算処理部１０４は、供給される第１クロックＰＣＫに同期して制御プログラムに従う演算処理を実行する。具体的には、第１クロックＰＣＫがクロック制御部１０８を介して演算処理部１０４に供給されることで、演算処理部１０４は、ＲＡＭ１５に一時記憶されている制御プログラムの各制御指令を第１クロックＰＣＫに同期して順次実行する。本実施形態の演算処理部１０４は、本発明のプログラム制御部の一例である。演算処理部１０４により実行された制御指令が、スイッチ切替部１９２またはクロック供給ブロック１０７へ供給される。制御指令が実行されることで、スイッチ切替部１９２は、ＦＥＴスイッチのオン、オフを切り替える。
【００４５】
クロック変換部１０５は、供給された第２クロックＭＣＫの周波数を複数種類の異なる周波数へ変換する。クロック変換部１０５により周波数が変換されたクロックＣＣＫは、クロック供給ブロック１０７へ供給される。実施形態では、クロック供給ブロック１０７は、電気泳動表示部４と表示制御部１８とメモリーカードＩ／Ｆ１１とフラッシュメモリー１３とＥＥＰＲＯＭ１４とＲＡＭ１５と無線通信部１７とから構成される。具体的には、クロック変換部１０５は、クロック供給ブロック１０７を構成する各機器の動作に適した周波数に第２クロックＭＣＫの周波数を変換する。変換されたクロックＣＣＫが各機器に供給されることで、各機器に供給されたクロックＣＣＫに基づいて、各機器が動作される。各機器が動作されることで、電力が消費される。クロック変換部１０５は、周波数を分周する分周器等から構成される。具体的には、クロック変換部１０５は、第２クロック発生部１０３と同様に複数の分周器から構成される。本実施形態では、２５ＭＨｚへ変換されたクロックＣＣＫが、メモリーカードＩ／Ｆ１１、フラッシュメモリー１３及び表示制御部１８にそれぞれ供給される。１００ＭＨｚへ変換されたクロックＣＣＫが、ＥＥＰＲＯＭ１４及びＲＡＭ１５にそれぞれ供給される。第２クロックＭＣＫが変換されずに変換クロックＣＣＫとして発生されてもよい。４ＭＨｚへ変換されたクロックＣＣＫが、無線通信部１７に供給される。本実施形態のクロック変換部１０５は、本発明のクロック発生部の一例である。
【００４６】
タイマー１０６は、振動子１０１により発振される基準クロックをカウントすることにより、計時動作を行う。基準クロックが、振動子１０１からタイマー１０６に供給される。タイマー１０６により計時された時間に基づいて、電源スイッチ２のオン、オフを制御する指令が供給される。タイマー１０６により計時された時間に基づいて、第１クロック発生部１０２へ第１クロックＰＣＫを発生する指令が供給される。タイマー１０６により計時された時間に基づいて、演算処理部１０４へ第１クロックＰＣＫの供給、またはその供給を停止する指令が、第１クロック制御部１０８へ供給される。
【００４７】
電源スイッチ２は、ユーザにより操作される。電源スイッチ２により画像表示装置１の電源がオンにされると、バッテリー１６はＣＰＵ１０に電力を供給する。具体的には、電源スイッチ２のオン、またはオフに応じて、スイッチング回路が電源の供給及び停止を行なう。電源スイッチ２により画像表示装置１の電源がオフにされると、スイッチング回路によりバッテリー１６からＣＰＵ１０への電力の供給が停止される。
【００４８】
フラッシュメモリー１３は、制御プログラム記憶領域１３１を備える。制御プログラム記憶領域１３１は、制御プログラムを記憶する。制御プログラムは、画像表示装置１を制御するためのプログラムである。具体的には、制御プログラムは、画像表示装置１のファームウェアである。ファームウェアは、画像表示装置１の中の主にハードウェアを動作させるためのプログラムである。ファームウェアの動作は、画像表示装置１を構成するハードウェア機器の動作チェック、起動等も含む。制御プログラム記憶領域１３１は、書換処理プログラム記憶領域１３２を含む。書換処理プログラム記憶領域１３２は、書換処理プログラムを記憶する。書換処理プログラムは、表示情報に従って、不揮発性表示部４の表示を書き換える。実施形態の制御プログラム記憶領域１３１は、本発明のプログラム記憶部の一例である。
【００４９】
メモリーカードインターフェース１１は、携帯型の外部メモリーであるメモリーカード１２と接続するためのインターフェースである。本実施形態で用いるＳＤカード（登録商標）以外のメモリーカードが用いられても良い。メモリーカード１２は、表示情報記憶領域１２１を有する。表示情報記憶領域１２１は、電気泳動表示部４に画像を表示するための表示情報を記憶する。表示情報は、画素情報と座標情報とから構成される。画素情報は、電気泳動表示部４の各画素空間２１ごとに表示（黒）と非表示（白）とを指定するための情報である。座標情報は、表示情報記憶領域１２１に記憶される表示情報に従ってテキスト、画像、図形等が電気泳動表示部４において表示される位置を示す情報である。表示情報は、複数のページにより構成されるファイルの形式で記憶されている。メモリーカード１２の代わりに、ＨＤＤなどの外部記憶装置が用いられても良い。本実施形態のメモリーカードインターフェース１１は、本発明の情報取得部の一例である。
【００５０】
ＲＡＭ１５は、公知のＲＡＭから構成され、情報及び制御指令を高速で書き込み、または読み出すことが可能な揮発性のメモリーである。ＲＡＭ１５は、制御プログラム一時記憶領域１５１と表示情報一時記憶領域１５２とを備える。実施形態のＲＡＭ１５は、本発明の一時記憶部の一例である。本実施例ではＳＤＲＡＭが、ＲＡＭ１５として用いられる。ＳＤＲＡＭは、クロックに同期して動作するＤＲＡＭである。ＳＤＲＡＭは、クロックに同期して、情報の読み出し、または、書き込みを行なう。ＳＤＲＡＭは、情報を保持するためにリフレッシュ動作を必要とする。本実施形態のＳＤＲＡＭのリフレッシュ動作は、クロックに同期して行われる。尚、ＳＤＲＡＭのリフレッシュ動作は、外部から供給されるクロックに同期せずに、ＳＤＲＡＭの内部構成で予め決められた周期、または予め決められたタイミングによりセルフリフレッシュ動作で行なわれても良い。
【００５１】
制御プログラム一時記憶領域１５１は、制御プログラム記憶領域１３１に記憶される制御プログラムを一時記憶する。制御プログラム一時記憶領域１５１は、画像表示装置１を制御するための制御指令及び処理結果を一時記憶する。制御プログラム一時記憶領域１５１に一時記憶された制御指令は、ＣＰＵ１０により実行される。
【００５２】
表示情報一時記憶領域１５２は、表示情報として表示情報記憶領域１２１に記憶された画素情報と、座標情報とを一時記憶する。表示情報一時記憶領域１５２に記憶される表示情報は、操作キー５、６が操作されたときに、電気泳動表示部４により表示される新たな画像に関する表示情報である。
【００５３】
ＥＥＰＲＯＭ１４は、電力の供給が遮断された場合でも、記憶内容を保持する不揮発性のメモリーである。ＥＥＰＲＯＭ１４は、表示ファイル情報記憶領域１４１と、表示中ページ情報記憶領域１４２とを有する。本実施形態のＥＥＰＲＯＭ１４は、本発明の位置記憶部の一例である。
【００５４】
表示ファイル情報は、操作キー５、６が操作されたときに、電気泳動表示部４により現在表示されている画像に関する表示情報のファイル名を表す情報である。
【００５５】
表示中ページ情報は、操作キー５、６が操作された時に電気泳動表示部４により現在表示されている表示情報のページ番号を表す情報である。表示中ページ数情報１４２は、電気泳動表示部４により現在表示されているファイルのページ番号を表す。
【００５６】
無線通信部１７は、Ｂｌｕｅｔｏｏｔｈと情報を送受信するために公知の構成を有するモジュールである。
【００５７】
バッテリー１６は、ＣＰＵ１０と、電源スイッチ２と、電力制御部１９とにそれぞれ接続される。画像表示装置１がＵＳＢ接続端子を備えていた場合、バッテリー１６は、パーソナルコンピュータと画像表示装置１とがＵＳＢにより接続されたことにより、パーソナルコンピュータの電源から充電される。または、コンセントを介して商用電源などの外部電源と画像表示装置１とが接続されたことにより、バッテリー１６は、外部電源から充電される。
【００５８】
電力制御部１９は、電圧変換部１９１とスイッチ切替部１９２とを備える。電圧変換部１９１は、バッテリー１６から供給される電圧を、各種周辺機器を動作させるために適した値の電圧へ変換する。電圧変換部１９１は、図６に示すように、ＣＰＵ１０と接続される各種周辺機器にそれぞれ接続される。電圧変換部１９１は、電気泳動表示部４と、操作キー５および操作キー６と、メモリーカードＩ／Ｆ１１と、フラッシュメモリー１３と、ＥＥＰＲＯＭ１４と、ＲＡＭ１５と、無線通信部１７と、表示制御部１８とにそれぞれ接続される。
【００５９】
スイッチ切替部１９２は、各種周辺機器の少なくとも一部の機器と、電圧変換部１９１との接続を切り替える。スイッチ切替部１９２が接続を切り替えることで、各種周辺機器への電圧の供給及び停止が制御される。図６は、電力制御部１９及び周辺機器の接続構成を示すブロック図である。図６に示すように、スイッチ切替部１９２は、ＦＥＴスイッチ２６〜２８から構成される。各ＦＥＴスイッチは、電界効果トランジスタから構成され、ゲート端子に対する電圧の印加または停止により、オンまたはオフの状態に変化する公知のスイッチング素子である。ＣＰＵ１０が、ＦＥＴスイッチ２６〜２８をオンまたはオフさせる切替指令を発生する。切替指令に従って、ＦＥＴスイッチ２６〜２８は、オンまたはオフにされ、各ＦＥＴスイッチに接続される各種周辺機器と電圧変換部１９１との接続、または、遮断を行う。ＦＥＴスイッチ２６〜２８がオンされることで、ＦＥＴスイッチに接続される各種機器に電圧が印加される。本実施形態では、ＲＡＭ１５とフラッシュメモリー１３とＥＥＰＲＯＭ１４と操作キー５及び操作キー６とは、電圧変換部１９１と直接接続される。操作キー５および操作キー６とＲＡＭ１５とフラッシュメモリー１３とＥＥＰＲＯＭ１４とは、上記のようにＦＥＴスイッチと接続されない。図４に示すように、ＣＰＵ１０と電力制御部１９とは、電力制御部１９による電圧の供給及び停止とは独立して、バッテリー１６から電力の供給を受けている。そのため、スイッチ切替部１９２により電圧変換部１９１と各種周辺機器とが接続されていない場合でも、ＣＰＵ１０と電力制御部１９とへ電力が供給される。スイッチ切替部１９２により電圧変換部１９１と各種周辺機器とが接続されていない場合でも、ＣＰＵ１０は操作キー５、６の操作を受け付けることができる。操作キー５、６から操作信号が所定の時間供給されなかったとき、ＣＰＵ１０は、電圧変換部１９１と各種周辺機器とを遮断させる指令を、スイッチ切替部１９２に送る。また、操作キー５、６から操作信号が供給されたとき、ＣＰＵ１０は、電圧変換部１９１と各種周辺機器とを接続させる指令を、スイッチ切替部１９２に送る。実施形態の電力制御部１９は、本発明の電力制御部の一例である。
【００６０】
表示制御部１８は、駆動電圧発生部１８１と電圧印加制御部１８２とを備える。駆動電圧発生部１８１は、下部電極５２と上部電極６２とへ印加する駆動電圧を発生する。駆動電圧発生部１８１は、バッテリー１６から供給される電圧を昇圧する。そして、駆動電圧発生部１８１は、昇圧された電圧を電気泳動表示部４の各電極へ印加する電圧として発生する。実施形態の駆動電圧発生部１８１は、本発明の駆動電圧発生部の一例である。電圧印加制御部１８２は、下部電極５２と上部電極６２とに所定の駆動電圧を印加する制御を行なう。具体的には、電圧印加制御部１８２は、表示情報を構成する画素情報に従って、所定の電圧を印加する上部電極６２及び下部電極５２を決定する。決定された電極について、電圧印加制御部１８２は、表示電圧発生部１８１が発生した駆動電圧を印加するか否かを決定し、印加する電圧の極性を決定する。本実施形態では、共通の駆動電圧(例えば０ボルト)が上部電極６２に印加される。「表示（黒）」に書き換えることが可能な大きさの電界が上部電極６２と下部電極５２との間に発生されるように、正の極性の電圧が下部電極５２に印加される。「非表示（白）」に書き換えることが可能な大きさの電界が下部電極５２と上部電極６２との間に発生されるように、負の極性の電圧が下部電極５２に印加される。上部電極６２より低い負の極性の電圧が下部電極５２に印加されることで、負に帯電した白色の帯電粒子３３ａが、図３に示す表示層６３に向かって上方向に引き付けられる。一方、上部電極６２より高い正の極性の電圧が下部電極５２に印加されることで、正に帯電した黒色の帯電粒子３３ｂが、図３に示す表示層６３に向かって上方向に引き付けられる。黒色の帯電粒子３３ｂが表示層６３に引き付けられることで、画像を表示することができる。電気泳動表示部４の上部電極６２及び下部電極５２への電圧の供給が停止された場合でも、分散媒３４の粘度及び鏡像力により帯電粒子３３ａ及び帯電粒子３３ｂの引き付け状態が維持される。帯電粒子３３ａ及び帯電粒子３３ｂが分散媒３４中で移動可能な逆方向の電界が発生すれば、帯電粒子３３ａ及び帯電粒子３３ｂは再び移動し、位置が逆転することで画像が書き換えられる。本実施形態の電圧印加制御部１８２は、本発明の電圧制御部の一例である。本実施形態では、表示制御部１８は、変換されたクロックＣＣＫに基づいて新たにクロックを発生させる。新たに発生されたクロックと同期して、電圧印加制御部１８２は各電極へ所定の電圧を印加する指令を電気泳動表示部４へ供給する。本実施形態の表示制御部１８は、本発明の表示制御部の一例である。
【００６１】
＜実施形態の動作＞
以上説明した構成からなる本実施形態の画像表示装置１の動作及び作用について、添付図面を参照して説明する。図７は、画像表示装置１におけるメイン動作の処理手順を示すフローチャートである。メイン動作は、ＣＰＵ１０の種々の回路構成で実行される。具体的には、演算処理部１０４がメイン動作の種々の指令を発生する。電源スイッチ２によりバッテリー１６とＣＰＵ１０とが接続されることで、電力がＣＰＵ１０に供給される。バッテリー１６とＣＰＵ１０とが接続されているとき、メイン動作は実行される。制御プログラムは、第１クロックＰＣＫが演算処理部１０４へ供給されることで実行されるのに対し、メイン動作は、バッテリー１６とＣＰＵ１０とが接続されているときに実行される。メイン動作において、主に制御プログラムは、電力制御とページ書換制御とを行なう。電力制御は、スイッチ切替部１９２の制御と、第１クロックＰＣＫと第２クロックＭＣＫとの供給または供給の停止の制御とである。主にページ書換制御は、駆動電圧の発生制御と、駆動電圧の印加制御とである。
【００６２】
（メイン動作）
最初に、ステップＳ１０１で本装置の電源スイッチ２がユーザによりＯＮされたかが判定される。電源スイッチがＯＮにされたと判定されるまで、ステップＳ１０１が繰り返えされる。
【００６３】
ステップＳ１０２では、ＣＰＵ１０が、バッテリー１６から供給される電圧に基づいて、各周辺機器の動作電圧を生成させる指令を電力制御部１９へ送る。ＣＰＵ１０からの指令に基づいて電圧変換部１９１は、バッテリー１６からの電圧を、各種周辺機器に適した値の電圧に変換する。変換された電圧は、各種周辺機器に供給される。ＦＥＴスイッチ２６〜２８がオンされていない場合、電気泳動表示部４とメモリーカードＩ／Ｆ１１と無線通信部１７と表示制御部１８とは、電圧を供給されない。ＦＥＴスイッチ２６〜２８がオンされていない場合であっても、ＲＡＭ１５とフラッシュメモリー１３とＥＥＰＲＯＭ１４と操作キー５および操作キー６とは電力を供給される。尚ステップＳ１０２では、ＦＥＴスイッチ２６〜２８は、オフにされている。
【００６４】
ステップＳ１０３では、ＣＰＵ１０が、フラッシュメモリー１３に記憶された制御プログラムを制御プログラム一時記憶領域１５１に展開して一時記憶させる指令をフラッシュメモリー１３とＲＡＭ１５とへ送る。制御プログラムがＲＡＭ１５の制御プログラム一時記憶領域１５１に記憶されることで、演算処理部１０４は制御プログラムを実行することが可能となる。
【００６５】
ステップＳ１０４では、ＣＰＵ１０が第１クロックＰＣＫを発生する。このとき、第１クロック制御部１０８は、発生された第１クロックＰＣＫを演算処理部１０４へ供給する。また、ＣＰＵ１０は第２クロックＭＣＫを発生する。発生された第２クロックＭＣＫはクロック変換部１０５により変換され、変換クロックＣＣＫが発生される。変換されたクロックＣＣＫがクロック供給ブロック１０７へ供給される。具体的には、クロック変換部１０５は、第２クロックＭＣＫの周波数を各周辺機器に適した複数種類の周波数に変換する。周波数が変換された複数種類のクロックＣＣＫは、メモリーカードＩ／Ｆ１１とフラッシュメモリー１３とＥＥＰＲＯＭ１４とＲＡＭ１５と無線通信部１７と表示制御部１８と電気泳動表示部４とへそれぞれ供給される。変換されたクロックＣＣＫが各周辺機器に供給されることで、クロックＣＣＫに同期して、各周辺機器が動作される。表示制御部１８は、クロックＣＣＫに同期して、電気泳動表示部４が表示するための表示情報を受信する。また、表示制御部１８は、クロックＣＣＫに同期して、表示情報に基づいて電気泳動表示部４の上部電極６２と下部電極５２とへ所定の電圧を印加する印加指令を送信する。電気泳動表示部４は、クロックＣＣＫに同期して、表示制御部１８が送った印加指令を受け取る。無線通信部１７は、クロックＣＣＫに同期して、Ｂｌｕｅｔｏｏｔｈと情報を送受信する。メモリーカードＩ／Ｆ１１は、クロックＣＣＫに同期して、メモリーカード１２から情報の読み出し、または、情報の書き込みを行なう。ＥＥＰＲＯＭ１４は、クロックＣＣＫに同期して、情報の読み出し、または、書き込みを行なう。フラッシュメモリー１３は、クロックＣＣＫに同期して、情報の読み出しを行なう。ＲＡＭ１５は、クロックＣＣＫに同期して、情報の読み出し、または、書き込みを行なうと共に、クロックＣＣＫに同期してリフレッシュ動作を行なう。実施形態のコンピュータとステップＳ１０４とは、本発明のモード切替部の一例である。また、実施形態のステップＳ１０４は、本発明のモード切替ステップの一例である。
【００６６】
ステップＳ１０５では、ＣＰＵ１０がステップＳ１０３で記憶された制御プログラムを実行する指令を発生する。すなわち、ステップＳ１０４で第１クロックＰＣＫが演算処理部１０４に供給されることで、制御プログラムの各制御指令が、第１クロックＰＣＫに同期してＲＡＭ１５の制御プログラム一時記憶領域１５１から読み出され、演算処理部１０４により逐次実行される。本実施形態のコンピュータとステップＳ１０５とは、本発明のプログラム制御部の一例である。実施形態のステップＳ１０５は、本発明のプログラム制御ステップの一例である。以降、ステップＳ１０６からステップＳ１１０は、ＣＰＵ１０が制御プログラムを実行することで動作される。
【００６７】
ステップＳ１０６では、ステップＳ１０５で実行された制御プログラムに基づいてＦＥＴスイッチがオンオフ制御される。ＣＰＵ１０は、スイッチ切替部１９２を構成するＦＥＴスイッチ２６〜２８へ切替指令を送る。切替指令に従ってＦＥＴスイッチ２６〜２８は、ＦＥＴスイッチと接続される各種周辺機器と、電圧変換部１９１とを接続する。ＦＥＴスイッチ２６〜２８がオンされることで、電気泳動表示部４と、メモリーカードＩ／Ｆ１１と、無線通信部１７と、表示制御部１８とに電圧が印加される。ステップＳ１０６では、本発明の第１モードが設定される。
【００６８】
ステップＳ１０７では、ステップＳ１０５で実行された制御プログラムに基づいてＣＰＵ１０は、駆動電圧発生部１８１に駆動電圧を発生させる指令を送る。
【００６９】
ステップＳ１０８では、ステップＳ１０５で実行された制御プログラムに基づいてページ書き換え処理が実行される。ステップＳ１０８は、ステップＳ１０３で記憶された制御プログラムに従って実行される。ＲＡＭ１５に一時記憶される表示情報、または、メモリーカード１２に記憶される表示情報に従って、電気泳動表示部４に所定の画像が表示される。すなわち、駆動電圧が印加されるか否か、駆動電圧の極性、及び印加されるべき電極が、表示情報に従って決定される。この決定に従って、ステップＳ１０７で発生された駆動電圧が上部電極６２及び下部電極５２へ印加される。本実施形態のステップＳ１０８は、本発明の電圧制御ステップの一例である。
【００７０】
ステップＳ１０９では、ステップＳ１０５で実行された制御プログラムに基づいて、ＣＰＵ１０はタイマー１０６による時間のカウントをスタートする。
【００７１】
ステップＳ１１０では、ステップＳ１０５で実行された制御プログラムに基づいて、ＣＰＵ１０は、第１クロックＰＣＫの供給を停止すると共に、第２クロックＭＣＫを供給する。具体的には、クロック制御部１０８が、演算処理部１０４への第１クロックＰＣＫの供給を停止する。従って、第１クロック発生部１０２では、第１クロックＰＣＫが発生されるが、第１クロック制御部１０８により演算処理部１０４への第１クロックＰＣＫの供給が停止される。また、第１クロックＰＣＫは、第２クロック発生部１０３へ供給される。実施形態のコンピュータとステップＳ１１０とは、本発明のモード切替部の一例である。実施形態のステップＳ１１０は、本発明のモード切替ステップの一例である。ステップＳ１１０では、第１クロックの供給を停止し、ＲＡＭ１５を含む全ての周辺機器に電力が供給される。第１クロックを停止し、ＲＡＭ１５と電気泳動表示部４とを含む全ての周辺機器に電力を供給するモードが、本発明の第２モードである。
【００７２】
ステップＳ１１１では、ＣＰＵ１０により操作キー５または操作キー６が操作されたか否かが判定される。操作キー５または操作キー６が操作されたと判定された場合、ステップＳ１０４が実行される。操作キー５または操作キー６が操作されたと判定されなかった場合、ステップＳ１１２が実行される。実施形態のステップＳ１１２は、本発明の操作ステップ及び操作検出ステップの一例である。
【００７３】
ステップＳ１１２では、ＣＰＵ１０は、タイマー１０６によりカウントされた時間が１５秒以下であるかを判定する。１５秒以下であると判定された場合、ステップＳ１１３が実行される。１５秒以下であると判定されなかった場合、ステップＳ１１１が実行される。
【００７４】
ステップＳ１１３では、ＦＥＴスイッチがオフされる。つまり、スイッチ切替部１９２を構成するＦＥＴスイッチ２６〜２８が、各種周辺機器との接続を遮断する。具体的に、ステップＳ１１３では、タイマー１０６が１５秒カウントしたことに基づいて、第１クロックＰＣＫを演算処理部１０４へ供給する指令が、クロック制御部１０８へ供給される。第１クロックＰＣＫが演算処理部１０４へ供給されることで、制御プログラムがスイッチ切替部１９２を構成するＦＥＴスイッチ２６〜２８へ切替指令を送る。切替指令に従ってＦＥＴスイッチ２６〜２８は、電圧変換部１９１及び各種周辺機器との接続を遮断する。そして、ＣＰＵ１０は、電圧変換部１９１へ電圧の変換を停止する指令を送る。実施形態のステップＳ１１３は、本発明の電力制御ステップの一例である。
【００７５】
ステップＳ１１４では、ステップＳ１１３で一時的に起動された制御プログラムに基づいてＣＰＵ１０が第１クロック発生部１０２への第１クロックＰＣＫの発生を停止させる指令を送る。具体的には、第１クロック発生部１０２が、第１クロックＰＣＫの発生を停止する。従って、クロック変換部１０５は変換されたクロックＣＣＫをクロック供給ブロック１０７へ供給しなくなる。実施形態のコンピュータとステップＳ１１４とは、本発明のモード切替部の一例である。実施形態のステップＳ１１４は、本発明のモード切替ステップの一例である。ステップＳ１１４では、第１クロックＰＣＫの供給は停止され、ＲＡＭ１５とフラッシュメモリー１３とＥＥＰＲＯＭ１４と操作キー５，６とへ電力が供給されている。第１クロックＰＣＫを停止し、ＲＡＭ１５に電力を供給するモードが、本発明の第２モードである。
【００７６】
ステップＳ１１５では、操作キー５または操作キー６が操作されたか否かが判定される。操作キー５または操作キー６が操作されたと判定された場合、ステップＳ１０４が実行される。操作キー５または操作キー６が操作されたと判定されなかった場合、ステップＳ１１６が実行される。本実施形態のステップＳ１１５は、本発明の操作ステップ及び操作検出ステップの一例である。
【００７７】
ステップＳ１１６では、ＣＰＵ１０は、タイマー１０６によりカウントされた時間が１０分以下であるかを判定する。１０分以下であると判定された場合、ステップＳ１１７が実行される。１０分以下であると判定されなかった場合、ステップＳ１１５が実行される。
【００７８】
ステップＳ１１７では、ＣＰＵ１０がタイマー１０６のカウントを終了する終了指令を発生する。
【００７９】
ステップＳ１１８では、ＣＰＵ１０がバッテリー１６と画像表示装置１との接続を遮断する遮断指令を発生するバッテリー１６に送る。遮断指令に基づいて、バッテリー１６と画像表示装置１との接続が遮断される。従って、ＲＡＭ１５は電力を供給されないため、情報は記憶されない。ステップＳ１１８では、本発明の第３モードが設定される。実施形態のステップＳ１１８は、本発明のモード切替部の一例であり、モード切替ステップの一例である。第１クロックＰＣＫの供給が停止され、ＲＡＭ１５を含む全ての周辺機器に電力の供給が停止される。第1クロックＰＣＫを停止し、全ての周辺機器に電力の供給を停止するモードが、本発明の第３モードである。
【００８０】
（ページ書換処理動作）
ステップＳ２０１では、表示情報一時記憶領域１５２に表示情報が記憶されているかが判定される。記憶されていた場合、ステップＳ２０４が実行される。記憶されていない場合、ステップＳ２０２が実行される。
【００８１】
ステップＳ２０２では、表示情報ファイルが、表示ファイル情報記憶領域１４１に記憶されているかが判定される。記憶されていた場合、ステップＳ２０３が実行される。記憶されていない場合、ステップＳ２０６が実行される。表示ファイル情報記憶領域１４１に表示ファイルが記憶されていない場合、「Ｎｕｌｌ」が記憶されている。
【００８２】
ステップＳ２０３では、表示情報が表示情報一時記憶領域１５２へ記憶される。ステップＳ２０３で記憶される表示情報は、表示情報記憶領域１２１の所定の位置に記憶される表示情報である。所定の位置は、ＥＥＰＲＯＭ１４に記憶される表示ファイル情報と表示中ページ情報とに基づいて決定される。図９は、表示情報記憶領域１２１に表示情報が記憶される記憶状態を示す概念図である。表示情報は、ファイルとして表示情報記憶領域１２１に記憶される。ファイルは、複数のページから構成されても良い。表示情報記憶領域１２１は、フォルダの階層構造によりファイルを記憶する。図９に示すフォルダ９１−ａは、３つのフォルダ９１−ｂ、９１−ｃ、９１−ｄを下位の階層位置に含む。フォルダ９１−ｂは、２つのファイル９２−ａ、９２−ｂを下位の階層位置に含む。図１０は、表示ファイル情報と表示中ページ情報とがＥＥＰＲＯＭ１４に記憶される記憶状態の一例を示す。図１０に示すように、表示ファイル情報は、「実験￥実験概要￥実験器具」である。また、表示中ページ情報は、「３」である。「実験￥実験概要￥実験器具」は、フォルダ９１−ａとフォルダ９１−ｂとの下位の階層に位置するファイル９２−ａを示している。表示中ページ情報の「３」は、「３ページ目」を示している。従って、電気泳動表示部４により現在表示されている表示情報は、表示ファイル情報「実験器具」の「３ページ目」と決定される。決定された表示ファイル情報が示すファイルが、表示情報記憶領域１２１から読み出されて、表示情報一時記憶領域１５２に一時記憶される。上述のファイルを構成する複数のページの中で、表示中ページ情報が示すページの少なくとも前後のページに関する表示情報が、表示情報一時記憶領域１５２に一時記憶されても良い。
【００８３】
ステップＳ２０４では、表示情報一時記憶領域１５２に記憶される表示情報に従って、電気泳動表示部４に画像が表示される。具体的には、電圧印加制御部１８２は、表示情報を構成する画素情報に従って、駆動電圧発生部１８１が発生した駆動電圧を印加する制御を行なう。駆動印加制御部１８２は、表示情報を構成する画素情報に従って、所定の電圧を印加する上部電極６２及び下部電極５２を決定する。決定された電極について、電圧印加制御部１８２は、駆動電圧発生部１８１が発生した駆動電圧を印加するか否かを決定し、印加する電圧の極性を決定する。決定された電圧が、上部電極６２と下部電極５２とへ印加される。例えば、表示ファイル情報「実験器具」の「３ページ目」が表示されている状態で操作キー５が操作された場合、表示ファイル情報「実験器具」の「２ページ目」が表示される。操作キー６が操作された場合、表示ファイル情報「実験器具」の「４ページ目」が表示される。
【００８４】
ステップＳ２０５では、表示ファイル情報と表示中ページ情報とが、表示ファイル情報記憶領域１４１と表示中ページ情報記憶領域１４２とにそれぞれ記憶される。表示ファイル情報と表示中ページ情報とは、ステップＳ２０４で表示された画像を表す表示情報のファイル名及びページ数に関するファイル情報とページ情報とである。例えば、ステップＳ２０４で操作キー５が操作された場合、ファイル情報「実験￥実験概要￥実験器具」が表示ファイル情報記憶領域１４１に記憶される。また、ページ情報「２」が表示中ページ情報記憶領域１４２に記憶される。
【００８５】
ステップＳ２０６では、操作キー５または操作キー６の指示により表示される表示情報が、表示情報一時記憶領域１５２へ一時記憶される。電気泳動表示部４に画像として表示される表示情報が、表示情報一時記憶領域１５２へ一時記憶される。
【００８６】
（変形例１）
本実施形態の変形例１について説明する。本実施形態では、携帯型の画像表示装置が記載されている。変形例１では、携帯型の画像表示装置以外であっても良い。例えば、所定の場所に設置可能な画像表示装置であっても良い。その場合、表示装置に備えられたバッテリーではなく、コンセントを介して商用電源などの外部電源から電力が供給されても良い。
【００８７】
（変形例２）
本実施形態の変形例２について説明する。本実施形態では、一時記憶部としてＲＡＭ１５が用いられている。変形例２では、ＲＡＭ以外の一時記憶部が用いられても良い。情報及び制御指令を高速で書き込み、または読み出すことが可能な揮発性のメモリーが用いられても良い。
【００８８】
（変形例３）
本実施形態の変形例３について説明する。本実施形態では、プログラム記憶部としてＮＡＮＤ型のフラッシュメモリー１３が用いられている。変形例３では、フラッシュメモリー以外の記憶部が用いられても良い。制御プログラムを記憶可能な不揮発性のメモリーが用いられても良い。
【００８９】
（変形例４）
本実施形態の変形例４について説明する。本実施形態では、不揮発性表示部として、電気泳動表示部４が用いられている。変形例４では、駆動電圧が供給されていないときに、表示されている表示情報を維持するメモリー効果を備える表示装置であれば、特に限定されない。電子粉粒体により構成される表示装置であっても良い。コレステリック液晶であっても良い。
【００９０】
（変形例５）
本実施形態の変形例５について説明する。本実施形態では、電圧変換部１９１が、フラッシュメモリー１３、ＥＥＰＲＯＭ１４、ＲＡＭ１５及び操作キー５、６と直接に接続されている。変形例５では、少なくとも電圧変換部がＲＡＭと直接に接続され、電圧変換部が少なくともフラッシュメモリー、ＥＥＰＲＯＭ、及び操作キー５、６のいずれかとＦＥＴスイッチを介して接続されても良い。変形例５において、電圧変換部がＦＥＴスイッチを介してフラッシュメモリー１３とＥＥＰＲＯＭ１４と操作キー５及び操作キー６と接続される場合、このＦＥＴスイッチは、本実施形態のＦＥＴスイッチ２６〜２８と同様な動作処理によりオンオフ制御される。
【００９１】
（変形例６）
本実施形態の変形例６について説明する。本実施形態では、第２モードにおいて、動作電圧が、電圧変換部１９１から、ＲＡＭ１５とフラッシュメモリー１３とＥＥＰＲＯＭ１４と操作キー５及び操作キー６とへ供給されている。変形例６において、少なくとも電圧変換部１９１とＲＡＭとが接続され、動作電圧がＲＡＭへ供給されていても良い。
【００９２】
（変形例７）
本実施形態の変形例７について説明する。本実施形態では、第１クロックＰＣＫにより制御プログラムの実行または停止が制御されている。変形例７では、第１クロックＰＣＫによる制御以外に、ＲＡＭへの電力の供給または停止により制御プログラムの実行または停止が制御されても良い。
【００９３】
（変形例８）
本実施形態の変形例８について説明する。本実施形態では、メモリーカード１２から表示情報が取得されている。変形例８では、画像表示装置に内蔵されたＨＤＤから表示情報が取得されても良い。
【００９４】
（変形例９）
本実施形態の変形例９について説明する。本実施形態では、ＲＡＭ１５としてＳＤＲＡＭが用いられている。変形例９では、ＳＤＲＡＭ以外のクロックに同期しないＤＲＡＭ（Ｄｙｎａｍｉｃ  Ｒａｎｄｏｍ  Ａｃｃｅｓｓ  Ｍｅｍｏｒｙ）が用いられても良い。またＤＲＡＭの代わりにＳＲＡＭが用いられても良い。ＳＲＡＭが用いられる場合、ＳＲＡＭ（Ｓｔａｔｉｃ  Ｒａｎｄｏｍ  Ａｃｃｅｓｓ  Ｍｅｍｏｒｙ）に情報を保持するためのリフレッシュ動作が不要となる。ＳＲＡＭが用いられる場合、クロックに同期せずに情報の読み出し、または書き込み動作が行なわれても良い。
【００９５】
（変形例１０）
本実施形態の変形例１０について説明する。図５に示すように本実施形態では、第２クロック発生部１０３は、第１クロックＰＣＫを分周することで、第２クロックＭＣＫを発生している。そして、クロック変換部１０５は、第２クロックＭＣＫを各機器の動作に適した周波数であるクロックＣＣＫへ変換する。変形例１０では、分周器を用いず、各機器それぞれに適した周波数がクロック発生部により発生されても良い。具体的には、本実施形態の第１クロック発生部が、各機器それぞれの周波数を発生するために備えられる。
【００９６】
（変形例１１）
本実施形態の変形例１１について説明する。本実施形態では、本実施形態では、第１クロックＰＣＫの周波数が２００ＭＨｚである。また、第２クロックＭＣＫの周波数が１００ＭＨｚである。また、メモリーカードＩ／Ｆ１１、フラッシュメモリー１３、ＥＥＰＲＯＭ１４及び表示制御部１８にそれぞれ供給されるクロックＣＣＫの周波数は、２５ＭＨｚである。無線通信部１７に供給されるクロックＣＣＫは、４ＭＨである。変形例１１では、第１クロックＰＣＫの周波数が、第２クロックＭＣＫより低周波数であっても良い。また、第１クロックＰＣＫの周波数が、クロックＣＣＫの周波数より低周波数であっても良い。この場合、第２クロックＭＣＫは、基準クロックの周波数を分周して生成され、第１クロックＰＣＫは、第２クロックＭＣＫを分周して生成される構成が考えられる。また第１クロックＰＣＫが逓倍されることで第２クロックＭＣＫが生成されても良い。
【００９７】
（変形例１２）
本実施形態の変形例１２について説明する。本実施形態のメイン動作のページ書換処理であるステップＳ１０８の次に、ステップＳ１０９が実行されている。ステップＳ１０９が実行されることで、第１クロック制御部１０８により演算処理部１０４への第１クロックＰＣＫの供給が停止される。変形例１２では、ステップＳ１０８で、電気泳動表示部により書換処理が完了した後に、電気泳動表示部が書換完了指令を発生しても良い。この場合、書換完了指令が発生されたことに基づいて、ステップＳ１０９が実行される。
【００９８】
（変形例１３）
本実施形態の変形例１３について説明する。本実施形態のメイン動作のステップＳ１１６では、カウント時間が１０分以下であるか否かが判定される。カウント時間が１０分以下の場合、遮断指令に基づいて、バッテリー１６と画像表示装置１との接続が遮断される。変形例１３では、ステップＳ１１６でカウント時間が１０分以下であるかが判定される代わりに、電源ボタン２により画像表示装置１の電源がオフにされたか否かが判定されても良い。電源スイッチ２により画像表示装置１の電源がオフにされると、スイッチング回路によりバッテリー１６からＣＰＵ１０への電力の供給が停止される。
【００９９】
（変形例１４）
本実施形態の変形例１４について説明する。本実施形態では、第２モードとして、第１クロックを停止し、表示制御部１８を構成する駆動電圧発生部１８１と電圧印加制御部１８２とを含む全ての周辺機器に電力が供給されている。変形例１４では、第２モードでは、第１クロックを停止し、少なくとも駆動電圧発生部と電圧印加制御部とに電力が供給されても良い。
【０１００】
（変形例１５）
本実施形態の変形例１５について説明する。本実施形態では、本発明の第２モードとして、駆動電圧発生部１８１により駆動電圧が発生される。変形例１５では、第２モードとして、駆動電圧発生部が、電気泳動表示部４の表示を書き換えるための電圧を発生するための準備電圧を発生しても良い。
【符号の説明】
【０１０１】
１  画像表示装置
２  電源スイッチ
４  電気泳動表示部
５、６  操作キー
１０  ＣＰＵ
１１  メモリーカードインタフェース
１２  メモリーカード
１３  フラッシュメモリー
１４  ＥＥＰＲＯＭ
１５  ＲＡＭ
１６  バッテリー
１７  無線通信部
１８  表示制御部
１９  電力制御部
２１  画素空間
２６〜２８  ＦＥＴスイッチ
３３ａ、３３ｂ  帯電粒子
３４  分散媒
３５  画素空間
４０  マスク部
５０  下部基板
５１  下部電極保護膜
５２  下部電極
５３  筐体支持部
６０  上部基板
６１  上部電極保護膜
６２  上部電極
６３  表示層
７０  表示部
７１  隔壁
９１−ａ  フォルダ
９１−ｂ  フォルダ
９１−ｃ  フォルダ
９１−ｄ  フォルダ
９２−ａ  ファイル
９２−ｂ  ファイル
９２−ｃ  ファイル
９２−ｄ  ファイル
１０１  振動子
１０２  第１クロック発生部
１０３  第２クロック発生部
１０４  演算処理部
１０５  クロック変換部
１０６  タイマー
１０７  クロック供給部
１０８  クロック制御部
１２１  表示情報記憶領域
１３１  制御プログラム情報記憶領域
１３２  書換処理プログラム情報記憶領域
１４１  表示ファイル情報
１４２  表示中ページ情報
１５１  制御プログラム情報一時記憶領域
１５２  表示情報一時記憶領域
１８１  駆動電圧発生部
１８２  電圧印加制御部
１９１  電圧変換部
１９２  スイッチ切替部
【図１】
2010186008.tif 000003
【図２】
2010186008.tif 000004
【図３】
2010186008.tif 000005
【図４】
2010186008.tif 000006
【図５】
2010186008.tif 000007
【図６】
2010186008.tif 000008
【図７】
2010186008.tif 000009
【図８】
2010186008.tif 000010
【図９】
2010186008.tif 000011
【図１０】
2010186008.tif 000012